(57)【要約】【課題】カメラモジュールを極力小さいスペースで基板に実装できるようにすること。【解決手段】カメラモジュールを収容する収容部１１０を備えたカメラモジュールコネクタ１００は、ハウジング１３０とハウジング１３０を覆うシェル部１４０とを有する。ハウジング１３０は、カメラモジュールの底面が載置される底板部１３２と、底板部１３２に互いに離間して立設される一対の側壁部１３４、１３５とを有する。シェルは、一対の側壁部１３４、１３５を囲むように配置され、一対の側壁部１３４、１３５において互いに離間して対向する側辺部同士の間に架設される板状の一対の側板部１４０ｃ、１４０ｄを備える。底板部１３２、一対の側壁部１３４、１３５及びシェル部１４０の一対の側板部１４０ｃ、１４０ｄで収容部１１０を形成する。【選択図】図１
2008311148.tif 000002
【特許請求の範囲】
【請求項１】
カメラモジュールを収容する収容部を備えたカメラモジュールコネクタにおいて、
カメラモジュールの底面が載置される底板部と、当該底板部に互いに離間して立設される一対の側壁部とを有するハウジングと、
前記一対の側壁部を囲むように配置され、前記一対の側壁部において互いに離間して対向する側辺部同士間に架設される板状の一対の側板部を有するシェル部とを備え、
前記底板部、前記一対の側壁部及び前記シェル部の一対の側板部で前記収容部を形成することを特徴とするカメラモジュールコネクタ。
【発明の詳細な説明】
【技術分野】
【０００１】
本発明は、固体撮像素子を有するカメラモジュールが接続されるカメラモジュールコネクタに関する。
【背景技術】
【０００２】
従来、カメラモジュールなどの電子部品（モジュール）を携帯電話機等の電子機器に組み込む際には、例えば、特許文献１、特許文献２に示すモジュール用のコネクタ（モジュールコネクタ）を介して、基板に実装される。
【０００３】
図５は、従来のカメラモジュールコネクタの説明に供する図であり、図５（ａ）はカメラモジュールコネクタにカメラモジュールを装着した状態を示す斜視図、図５（ｂ）は同コネクタ組立分解斜視図である。
【０００４】
図５に示すカメラモジュールコネクタ（以下、「コネクタ」という）１は、カメラモジュール２を収容する収容部３を有する箱状のハウジング４を備え、このハウジング４の周囲をシールドケース５により被覆することによって電磁シールドを行っている。
【０００５】
ハウジング４は、絶縁性を有する材料、例えば、樹脂により形成され、矩形枠状に配置され収容部３の周囲を囲む周壁部分４ａには、それぞれ、カメラモジュールのコンタクトピンと接続するコンタクトピン６が実装されている。
【０００６】
これらコンタクトピン６は、その一端部を内周面から収容部３内に突出させ、他端部を、コネクタ１の外周面から外方に突出させた状態で配置されている。
【０００７】
このように構成されたコネクタの他端部を基板のランドに半田等により電気的に接続して固着させて基板に取り付けて、収容部にカメラモジュール２を収容することによって、コネクタ１は、基板に実装された状態で携帯電話等の電子機器に組み込まれる。
【特許文献１】特開２００５−７３１６６号公報
【特許文献２】特開２００５−２９４０７４号公報
【発明の開示】
【発明が解決しようとする課題】
【０００８】
近年、携帯電話などの電子機器に対して、小型化とともに多機能化が図られており、多機能化を実現するために、更に高密度に電子部品を実装する必要性がある。
【０００９】
このため、コネクタを介して基板にカメラモジュールを実装する際には、機能の異なる他のモジュールの搭載を考えて、極力狭いスペースでの実装が望まれている。
【００１０】
本発明はかかる点に鑑みてなされたものであり、カメラモジュールを極力小さいスペースで実装できるカメラモジュールコネクタを提供することを目的とする。
【課題を解決するための手段】
【００１１】
本発明のカメラモジュールコネクタは、カメラモジュールを収容する収容部を備えたカメラモジュールコネクタにおいて、カメラモジュールの底面が載置される底板部と、当該底板部に互いに離間して立設される一対の側壁部とを有するハウジングと、前記一対の側壁部を囲むように配置され、前記一対の側壁部において互いに離間して対向する側辺部同士間に架設される板状の一対の側板部を有するシェル部とを備え、前記底板部、前記一対の側壁部及び前記シェル部の一対の側板部で前記収容部を形成する構成を採る。
【発明の効果】
【００１２】
本発明によれば、カメラモジュール等のモジュールを基板に対して、極力小さいスペースで実装することができる。
【発明を実施するための最良の形態】
【００１３】
以下、本発明の実施の形態について、図面を参照して詳細に説明する。
【００１４】
図１は、本発明の一実施の形態に係るコネクタの構成の説明に供する斜視図である。図１に示す本実施の形態に係るコネクタ１００は、基板に電子部品であるカメラモジュールを実装する際に用いられるものである。
【００１５】
なお、このコネクタ１００を介して基板に実装されるカメラモジュールは、例えば、ＣＭＯＳカメラモジュール等の固体撮像素子に光を導くレンズを有するレンズユニットの下部２１０（図４参照）に、略直方体形状をなし、矩形状の底面に互いに平行な離間する２辺部のそれぞれに沿ってコンタクトが配設されたベース部２２０（図４参照）を有する。コネクタ１００は、このベース部２２０を収容することによって、カメラモジュールを保持する。
【００１６】
図１に示すコネクタ１００は、上方で開口し、カメラモジュール（図示省略）を収容する凹状の収容部１１０を備えた方形箱状に形成され、コンタクトピン１２０が装着されたハウジング１３０と、ハウジング１３０の周囲を被覆する平面視矩形状のシェル部１４０とを有する。
【００１７】
図２は、本発明の一実施の形態に係るコネクタにおいて、シェル部を外したハウジングの斜視図である。
【００１８】
図１及び図２に示すハウジング１３０は、合成樹脂等の絶縁材からなり、矩形平板状の底板部１３２と、底板部１３２において離間する平行な２辺部からそれぞれ垂直に立ち上がる側壁部１３４、１３５とを有する。
【００１９】
底板部１３２は、収容部１１０の底面部分を仕切り、当該収容部１１０の収容されるカメラモジュールの底面（ベース部の底面）形状に対応している。また、側壁部１３４、１３５は、互いに対向配置されており、互いに対応する内周面にて、収容部１１０の一対の側面部分を仕切る。
【００２０】
底板部１３２には、２辺部のそれぞれに沿って、それぞれ互いに対向する方向に延びる複数のスリット１３２ａが形成され、これらスリット１３２ａからコンタクトピン１２０の先端部である接触部１２２が、底面１３２ｂから上方に突出した状態で並設されている。
【００２１】
コンタクトピン１２０は、収容部１１０に収容されるカメラモジュールのコンタクトに接続されるものであり、側壁部１３４、１３５において、カメラモジュールの底面（ベース部の底面）に配設されたコンタクトに対応した箇所に、圧入によって配設されている。
【００２２】
これらコンタクトピン１２０は、それぞれ可撓性を有する導電性部材からなり、ここでは、長尺の金属板に屈曲等の加工を施すことによって形成されている。
【００２３】
具体的には、コンタクトピン１２０は、長尺の導電性を有する金属板により形成され、コネクタ１００の底面（ハウジング１３０の下面）と平行に、ハウジング１２０の下端から外方に突出するリード部１２４と、側壁部内に配設されたピン固定部１２６と、先端に接触部１２２が形成されたピンアーム部１２８とを有する。
【００２４】
リード部１２４は、コネクタ１００が基板に載置された際に、基板上のパターンに接合されるものであり、基端にて、コンタクトピン１２０の中央部分を形成するピン固定部１２６の一端部に連続している。
【００２５】
ピン固定部１２６は、ここでは、側壁部１３４、１３５内において、リード部１２４の基端から立ち上がり、この立ち上がり部分の上端で、折曲されて立ち下がる逆Ｕ字状に形成されている。ピン固定部１２６は、図１及び図２では、収容部１１０の側方で露出する立ち下がり部分のみ示されている。この立ち下がり部分は、弾性変形自在であり、側壁部１３４、１３５の内面に沿って配置され、側壁部１３４、１３５と底板部１３２とで形成する角部近傍に位置する先端にピンアーム部１２８が連続して形成されている。
【００２６】
ピンアーム部１２８は、立ち下がり部分の先端から折曲されて、側壁部１３４、１３５の下端から底板部１３２のスリット１３２ａ内に挿通されている。これにより、ピンアーム部１２８は、側壁部１３４、１３５の下端から収容部の内方に向かって上方に傾斜しながら突出しており、下方向（カメラモジュールの収容部に対する挿入方向）に弾性変形自在である。これにより、ピンアーム部１２８の先端の接触部１２２を、収容部１１０内に配置させるとともに、カメラモジュールの挿入方向に移動自在に位置させている。
【００２７】
接触部１２２は、挿入方向に抗する方向（挿脱方向）に付勢されており、ここではカメラモジュールの挿入方向と押圧される方向とが同一方向としている。このため、カメラモジュールを収容部内に挿入するだけで、接触部は、カメラモジュールのコンタクトと互いに押圧しあう状態で接触する。
【００２８】
このように構成されたコンタクトピン１２０は、側壁部１３４、１３５のそれぞれに、挿入方向と直交する横方向に所定間隔あけて配設されている。また、コンタクトピン１２０のそれぞれの側壁部１３４、１３５における接触部１２２同士は、底板部１３２を挟み互いに対向配置されている。
【００２９】
これらコンタクトピン１２０が配設された側壁部１３４、１３５の上辺部１３４ａ、１３５ａの両端部には、図２に示すように、それぞれ中央部分より高さレベルが低くなるように切欠部１３７が形成されている。これら切欠部１３７には、挿入されるカメラモジュールを固定するロック爪部１５０が配置されている。
【００３０】
このように構成された対向する一対の側壁部１３４、１３５は、図１に示すように、ハウジング１３０の周囲を囲むシェル部１４０によって、それぞれの背面とともに、互いに対応する両側端部間が被覆されている。
【００３１】
シェル部１４０は、底板部１３２の２辺から立ち上がる側壁部１３４、１３５の背面にそれぞれ配置される互いに平行な一対の背板部１４０ａ、１４０ｂと、一対の背板部１４０ａ、１４０ｂの両端部のそれぞれに直交して接続され、一対の側壁部１３４、１３５をそれぞれ側方から被覆する一対の側板部１４０ｃ、１４０ｄとを有する。
【００３２】
図３は、本発明の一実施の形態に係るコネクタの構成の説明に供する平面図である。
【００３３】
図１〜図３に示すように、コネクタ１００では、一対の側壁部１３４、１３５及び一対の側板部１４０ｃ、１４０ｄによって収容部１１０が仕切られている。
【００３４】
底板部１３２を挟み側壁部１３４、１３５及び背板部１４０ａ、１４０ｂとで形成される一対の側壁部分には、ロック爪部１５０が、側壁部１３４、１３５の切欠部１３７を挿通して収容部１１０内に先端部を突出させた状態で設けられている。
【００３５】
図１〜図３に示すように、底板部１３２を挟み互いに対向する側板部１４０ｃ、１４０ｄのそれぞれの内面には、上端側から収容部１１０側に突出して形成され、内面側に弾性変形自在な押圧板１４８が形成されている。押圧板１４８は、収容部１１０にカメラモジュールが挿入された際に、収容部１１０に挿入されたカメラモジュールの側面を押圧して保持する。
【００３６】
ここで本実施の形態のコネクタ１００におけるシェル部１４０の構成について詳細に説明する。
【００３７】
図１に示すように、シェル部１４０は、ハウジング１３０の下部に外嵌される矩形筒状のフレーム本体部１４２と、フレーム本体部１４２の上部に、フレーム本体部１４２の外形に対応させて嵌め込まれる矩形筒状の補助フレーム部１４４とを有する。
【００３８】
フレーム本体部１４２は、一対の側壁部１３４、１３５における下部の背面に沿って配置され、背板部１４０ａ、１４０ｂの下部を形成する下部フレーム１４２１と、下部フレーム１４２１の両端部間に直交して設けられ、側板部１４０ｃ、１４０ｄの外面部分を構成する外板フレーム１４２２とを有する。
【００３９】
フレーム本体部１４２の下辺部（詳細には、下部フレーム１４２１の下辺部及び外板フレーム１４２２の下辺部）には、基板に実装される際に、基板のグランド部に接続されるグランド端子部１４２１ａ、１４２２ａが形成されている。
【００４０】
下部フレーム１４２１の上辺部の両端部には、それぞれ上方に延出され、側壁部１３４、１３５の上端部の高さ近傍で折り返されることによって、収容部１１０内に突出する先端部１５２を備えるロック爪部１５０が設けられている。
【００４１】
ここでは、ロック爪部１５０は、下部フレーム１４２１と同一の金属板で一体的に形成されており、可撓性を有する。
【００４２】
このロック爪部１５０において、収容部１１０内に突出する部位は、ハウジング１３０の側壁部１３４、１３５の上方から収容部１１０内方に向かって傾斜して配置され、接近する方向に弾性変形する。これにより、その下端部（先端部）１５２を側壁部１３４、１３５側に移動自在としている。
【００４３】
また、下部フレーム１４２１上で、且つ、ロック爪部１５０の外側に補助フレーム１４４の上部フレーム１４４１が配設され、上部フレーム１４４１は、背板部１４０ａ、１４０ｂの上部を構成している。また、外板フレーム１４２２と底板部１３２の側辺部との間には、補助フレーム１４４の内板フレーム１４４２が配設され、この内板フレーム１４４２は、側板部１４０ｃ、１４０ｄの内面部分を構成している。なお、側板部１４０ｃ、１４０ｄに形成された押圧板１４８は、可撓性部材からなり、内板フレーム１４４２に一体的に形成され、ここでは、内板フレーム１４４２内面から収容部１１０側に突出するように配置されている。ここでは、内板フレーム１４４２の内面において、上端側から下端側に向かって延在するように形成され、弾性変形することによって、収容部１１０側に突出する中央部分が内板フレーム１４４２の内面側に移動自在となっている。
【００４４】
なお、外板フレーム１４２２の高さ（カメラモジュールの収容部に対する挿入方向の長さ）は、側壁部１３４、１３５の高さに略等しく、内板フレーム１４４２の上端辺には、当該上端片に沿って、外方に傾斜するフランジ部１４４２ｂが形成されている。
【００４５】
図４は、本発明に係るコネクタにカメラモジュールを装着した状態を示す要部断面図である。なお、図４に示すカメラモジュール２００において、外方に張り出したベース部２２０の外縁部の上部には、コネクタ１００に装着された際に、コネクタ１００のロック爪部１５０と掛合する被掛合部２３０が形成されている。
【００４６】
コネクタ１００に対して、カメラモジュールを収容部１１０に挿入すると、ロック爪部１５０は、カメラモジュール２００のベース部２２０の側面により、ハウジング１３０の側壁部１３４、１３５の内周面側に押圧されて変形する。
【００４７】
そして、ベース部２２０の底面のコンタクト（図示しない）が、接触部１２２に当接して、下方に押圧することによって、コンタクトと接触部１２２が互いに押圧し合う状態で接触する（図示しない）。カメラモジュール２００が下方に移動すると、ロック爪部１５０は、カメラモジュールのベース部２２０の側面を摺動して、カメラモジュール２００に形成された被掛止部２３０上の掛合空間まで移動する。ロック爪部１５０が掛合空間の側方に位置すると、ロック爪部１５０の付勢状態は解除され、収容部１１０の内方に突出し、カメラモジュールの被掛止部２３０と掛合して、カメラモジュールの抜脱方向（挿入方向と逆方向）への移動を規制する。これによりカメラモジュールに対して、コネクタからの抜け止めを行うことができる。
【００４８】
本実施の形態では、ハウジング１３０を囲むシェル部１４０の側板部１４０ｃ、１４０ｄは、フレーム本体部１４２の外板フレーム１４２２と補助フレーム１４４の内板フレーム１４４２とを重ねて構成されている。
【００４９】
シェル部１４０は、一対の側壁部１３４、１３５を囲むように配置され、一対の側壁部１３４、１３５において互いに離間して対向する側辺部同士の間に架設される板状の一対の側板部１４０ｃ、１４０ｄを有する。これら側板部１４０ｃ、１４０ｄは、底板部１３２、一対の側壁部１３４、１３５とともに収容部１１０を形成している。
【００５０】
すなわち、収容部１１０を囲む４つの側壁部分のうち、対向する一対の側壁部分は、厚みを有する樹脂製のハウジング１３０の側壁部を用いることなく、金属板からなるシェル部１４０の外板フレーム１４２２及び内板フレーム１４４２のみで形成している。言い換えれば、コネクタ１００において、収容部１１０を四方で囲む側壁部分のうち、対向する一対の側壁部分（側板部１４０ｃ、１４０ｄ）の厚みは、ハウジング１３０の側壁部１３４、１３５を有する側壁部分よりも薄いとともに、当該一対の側壁部分は、樹脂製の側壁部よりも強度が高い金属製の外板フレーム１４４２及び内板フレーム１４２２により形成されている。
【００５１】
これにより、本実施の形態のコネクタ１００では、収容部１１０の四方を周壁部で囲まれた従来のコネクタと比較して、側板部間の距離を、長さＡの側壁部の厚み分、短くすることができる。
【００５２】
よって、コネクタ自体の実装基板に対する実装スペースを、従来のコネクタと比較して狭小化を図ることができる。
【００５３】
すなわち、近年、カメラモジュールを備える携帯電話等の通信携帯端末における機能向上に伴い、多様な電子部品が基板上に搭載される場合でも、収容部を仕切る四方の側壁部分にハウジングの樹脂製の側壁部分が必要な従来のコネクタと異なり、基板上における実装スペースの更なる省スペース化を図ることができる。
【００５４】
なお、外板フレーム１４２２及び内板フレーム１４４２によりなるシェル部１４０の側板部１４０ｃ、１４０ｄは、収容部１１０に挿入されるカメラモジュールとロック爪部１５０とが掛合する位置に対応する部位に表裏面を貫通するロック確認窓部１４６が形成されている。このロック確認窓部１４６を介して、コネクタ外部から作業者に、収容部１１０に収容されたカメラモジュールに対するロック爪部１５０の掛止状態を視認させることができる。
【００５５】
また、外板フレーム１４２２及び内板フレーム１４４２によりなるシェル部１４０の側板部１４０ｃ、１４０ｄには、収容部１１０に挿入されるカメラモジュールのコンタクトとコンタクトピン１２０とが接触する接点高さに対応する部位に表裏面を貫通する接点確認窓部１４７が形成されている。この接点確認窓部１４７を介して、コネクタ外部から作業者に、収容部に収容されたカメラモジュールのコンタクトと、コネクタ１００のコンタクトピン１２０との接触状態を視認させることができる。
【００５６】
なお、本実施の形態のコネクタ１００では、ハウジング１３０に配設されるコンタクトピン１２０は、接触部１２２を収容部１１０の底面から上方に突出して配置したが、これに限らず、ハウジング１３０において、ハウジング１３０の側壁部１３４、１３５の内周面から収容部１１０内にピンアーム部１２８を突出させて、収容部１１０に収容されるカメラモジュールの側方で、カメラモジュールのコンタクトと接触する構成としても良い。
【００５７】
また、ハウジング１３０に形成される切欠部１３７は、一対の側壁部１３４、１３５のそれぞれにおける上辺部１３４ａ、１３５ａの両側部に形成されているが、これに限らず、収容部１１０を囲む周壁部分のどの位置にいくつ形成されてもよい。
【００５８】
また、この切欠部１３７内に配置されるロック爪部１５０の数は、収容部１１０に収容されたカメラモジュールの抜け止めを防止する構成であれば、どのような形状で、いくつ設けられていても良い。
【００５９】
さらに、コネクタ１００では、収容部１１０を四方で囲む側壁部分に、内周面から収容部１１０側に突出する押圧板１４８及びロック爪部１５０が配設されている。
【００６０】
ここでは、図３に示すように、平面視して、収容部１１０を中心に囲むように、押圧板１４８及びロック爪部１５０が配設されており、それぞれが、収容部１１０の収容されるカメラモジュール２００（図４参照）を、当該カメラモジュール側に向かって押圧する。
【００６１】
これにより、収容部１１０に対して、カメラモジュール２００をセンタリングして好適に挿入させることができる。
【００６２】
なお、ロック爪部１５０は、シェル部１４０を構成する可撓性を有する長尺の板状部材を折曲加工することにより形成されている。ロック爪部１５０は、弾性変形可能な長尺の平板状の金属板を、長手方向に離間する所定箇所で折曲加工することによって形成している。
【００６３】
ここでは、ロック爪部１５０は、シェル部１４０を形成する薄板状の金属板の一部、つまり、金属板において下部フレーム１４２１に連続する部位を折曲することによって形成されている。つまり、ロック爪部１５０は、矩形筒状のシェル部１４０と一体的に形成されており、シェル部１４０と別体に構成されたコネクタと比較して、組み立て時の工数を削減することができる。
【００６４】
なお、図１に示すように、コネクタ１００では、側板部１４０ｃ、１４０ｄのうち一方の側板部１４０ｄに、上方に開口するキー溝１４０ｅが形成されている。このキー溝１４０ｅに対応して、カメラモジュール２００（図４参照）に突部を形成する。このカメラモジュール２００を収容部１１０に挿入する際に、カメラモジュールの突部を、キー溝１４０ｅの上方に位置させてカメラモジュールを収容部１１０に挿入することによって、キー溝１４０ｅに突部を内嵌させて挿入方向に案内させつつカメラモジュールを収容部１１０内に円滑に配置させることができ、その挿入におけるカメラモジュール自体の前後左右方向の向きを規定することができる。
【００６５】
また、コネクタ１００では、シェル部１４０は、箱型であり、金属板を加工して、弾性アーム部及びロック部と一体的に形成されている。このため、ハウジング及びシールドケースを備えるコネクタを組み立てる際に、ロック部を別体とした場合よりも組み立て工数を減らすことができる。
【００６６】
また、本実施の形態のコネクタでは、８つのロック爪部によりカメラモジュール２００の抜け止めを行う構成としたが、これに限らず、ロック爪部の数は１つであってもよいし、２つ、３つ、４つ以上であっても良い。なお、上記本発明は、本発明の精神を逸脱しない限り、種々の改変をなすことができ、そして本発明が該改変させたものに及ぶことは当然である。
【産業上の利用可能性】
【００６７】
本発明に係るコネクタは、カメラモジュールなどの電子部品を収容して基板に実装する際に、極力省スペースで実装することができ、特に、携帯電話等の小型化及び多機能化が望まれる携帯通信端末に、電子部品を搭載する際に有用である。
【図面の簡単な説明】
【００６８】
【図１】本発明の一実施の形態に係るコネクタの構成の説明に供する斜視図
【図２】同コネクタにおいてシェル部を外したハウジングの斜視図
【図３】本発明の一実施の形態に係るコネクタの構成の説明に供する平面図
【図４】本発明に係るコネクタにカメラモジュールを装着した状態を示す要部断面図
【図５】従来のカメラモジュールコネクタの説明に供する図
【符号の説明】
【００６９】
１００  コネクタ
１１０  収容部
１２０  コンタクトピン
１３０  ハウジング
１３４、１３５  側壁部
１４０  シェル部
１４０ｃ、１４０ｄ  側板部
２００  カメラモジュール
【図１】
2008311148.tif 000003
【図２】
2008311148.tif 000004
【図３】
2008311148.tif 000005
【図４】
2008311148.tif 000006
【図５】
2008311148.tif 000007